(57)【特許請求の範囲】
【請求項１】
賞品ごとに対応して、前記賞品の抽選への応募手続の開始操作を受け付けるための第１操作部と、対価の提供による前記賞品の購入手続の開始操作を受け付けるための第２操作部とが表示される操作開始ページを操作端末に表示させる第１表示処理部と、
前記第１操作部及び前記第２操作部に対する操作を受け付け可能な受付処理部と、
前記受付処理部によって前記第１操作部の操作が受け付けられた場合に、前記応募手続を受け付けるための応募ページを前記操作端末に表示させる第２表示処理部と、
前記受付処理部によって前記第２操作部の操作が受け付けられた場合に、前記購入手続を受け付けるための購入ページを前記操作端末に表示させる第３表示処理部と、
を備え、
前記購入ページでは、予め設定された販売数量の範囲内で購入手続が可能であり、
前記第３表示処理部は、現在までに受け付けられた前記賞品の購入数と記憶部に記憶されている前記賞品の販売数量とに基づいて前記販売数量の前記購入手続が受け付けられたと判断した場合に、前記賞品の販売終了を示す情報を前記購入ページに表示させ、
前記第１表示処理部は、前記賞品について予め設定された販売期間が終了したか否かを記憶部に記憶されている前記賞品の販売期間に基づいて判断し、当該販売期間の終了後に、前記第２操作部を前記操作開始ページから消去し、又は前記賞品の販売終了を示す情報を前記操作開始ページに表示させる、
応募受付装置。
【請求項２】
前記第２操作部の操作回数を前記賞品ごとに記録する記録処理部を備える、
請求項１に記載の応募受付装置。
【請求項３】
前記記録処理部により記録された前記操作回数に基づいて次回の前記賞品の前記販売数量を予測する予測処理部を備える、
請求項２に記載の応募受付装置。
【請求項４】
前記第１表示処理部は、前記操作開始ページ上に前記賞品各々を選択するための第３操作部を表示させ、
前記受付処理部は、前記第３操作部に対する操作を受け付け可能であり、
前記第２表示処理部は、前記受付処理部によって前記第３操作部の操作が受け付けられた場合に前記第３操作部に対応する前記賞品の前記応募ページを表示させる、
請求項１〜３のいずれかに記載の応募受付装置。
【請求項５】
予め設定された応募期間の終了後に、前記応募手続で受け付けた応募者から予め設定された抽選数量の当選者を抽出する抽選処理を実行する抽選処理部を備え、
前記抽選処理部は、前記販売期間の終了時までに前記購入手続で受け付けられた購入数が前記販売数量に達していない場合は残りの数量を予め設定された抽選数量に加算した抽選数量の当選者を抽出する、
請求項１〜４のいずれかに記載の応募受付装置。
【請求項６】
前記応募ページは、前記応募受付装置で管理されるウェブサイトであり、
前記購入ページは、前記応募受付装置とは異なる管理サーバーによって管理されるウェブサイトである、
請求項１〜５のいずれかに記載の応募受付装置。
【請求項７】
賞品ごとに対応して、前記賞品の抽選への応募手続の開始操作を受け付けるための第１操作部と、対価の提供による前記賞品の購入手続の開始操作を受け付けるための第２操作部とが表示される操作開始ページを操作端末に表示させる第１表示ステップと、
前記第１操作部及び前記第２操作部に対する操作を受け付け可能な受付ステップと、
前記受付ステップによって前記第１操作部の操作が受け付けられた場合に、前記応募手続を受け付けるための応募ページを前記操作端末に表示させる第２表示ステップと、
前記受付ステップによって前記第２操作部の操作が受け付けられた場合に、予め設定された販売数量の範囲内で前記購入手続を受け付けるための購入ページを前記操作端末に表示させる第３表示ステップと、
をプロセッサーに実行させるための応募受付プログラムであって、
前記購入ページでは、予め設定された販売数量の範囲内で購入手続が可能であり、
前記第３表示ステップでは、現在までに受け付けられた前記賞品の購入数と記憶部に記憶されている前記賞品の販売数量とに基づいて前記販売数量の前記購入手続が受け付けられたと判断された場合に、前記賞品の販売終了を示す情報が前記購入ページに表示され、
前記第１表示ステップでは、前記賞品について予め設定された販売期間が終了したか否かが記憶部に記憶されている前記賞品の販売期間に基づいて判断され、当該販売期間の終了後に、前記第２操作部が前記操作開始ページから消去され、又は前記賞品の販売終了を示す情報が前記操作開始ページに表示される、
応募受付プログラム。
【請求項８】
一又は複数のコンピュータが、
賞品ごとに対応して、前記賞品の抽選への応募手続の開始操作を受け付けるための第１操作部と、対価の提供による前記賞品の購入手続の開始操作を受け付けるための第２操作部とが表示される操作開始ページを操作端末に表示させる第１表示ステップと、
前記第１操作部及び前記第２操作部に対する操作を受け付け可能な受付ステップと、
前記受付ステップによって前記第１操作部の操作が受け付けられた場合に、前記応募手続を受け付けるための応募ページを前記操作端末に表示させる第２表示ステップと、
前記受付ステップによって前記第２操作部の操作が受け付けられた場合に、予め設定された販売数量の範囲内で前記購入手続を受け付けるための購入ページを前記操作端末に表示させる第３表示ステップと、
を実行する応募受付方法であって、
前記購入ページでは、予め設定された販売数量の範囲内で購入手続が可能であり、
前記第３表示ステップでは、現在までに受け付けられた前記賞品の購入数と記憶部に記憶されている前記賞品の販売数量とに基づいて前記販売数量の前記購入手続が受け付けられたと判断された場合に、前記賞品の販売終了を示す情報が前記購入ページに表示され、
前記第１表示ステップでは、前記賞品について予め設定された販売期間が終了したか否かが記憶部に記憶されている前記賞品の販売期間に基づいて判断され、当該販売期間の終了後に、前記第２操作部が前記操作開始ページから消去され、又は前記賞品の販売終了を示す情報が前記操作開始ページに表示される、
応募受付方法。
【発明の詳細な説明】
【技術分野】
【０００１】
本発明は、賞品の抽選に応募する応募手続を受け付けることが可能な応募受付装置、応募受付プログラム、及び応募受付方法に関する。
【背景技術】
【０００２】
一般に、商品の購入等によりユーザーに付与されるポイントを使用して賞品（販促品）の抽選に応募する応募手続を、ユーザーの操作端末からインターネットなどの通信網を介して受け付けることが可能なシステムが知られている（例えば特許文献１参照）。なお、ポイントは、例えばプリントシール機とも称される写真撮影装置の使用に応じて付与されることがある（例えば特許文献２参照）。
【先行技術文献】
【特許文献】
【０００３】
【特許文献１】特開２００８−１８６１１８号公報
【特許文献２】特開２０１１−７６４７３号公報
【発明の概要】
【発明が解決しようとする課題】
【０００４】
一般に、この種のシステムでは、賞品の一覧ページにおいてユーザーによって賞品が選択されることにより、その選択された賞品の詳細が表示される応募ページが表示され、その賞品の応募手続に必要な情報がユーザーによって入力される。このとき、ユーザーが、応募ページに表示されており、本来は応募手続によって抽選で取得可能な賞品を、金銭などの対価を提供する購入手続によって確実に取得したいと考えることも想定される。
【０００５】
本発明の目的は、同一の賞品について応募手続及び購入手続の両方の開始操作を受付可能な応募受付装置、応募受付プログラム、及び応募受付方法を提供することにある。
【課題を解決するための手段】
【０００６】
本発明に係る応募受付装置は、賞品ごとに対応して、前記賞品の抽選への応募手続の開始操作を受け付けるための第１操作部と、対価の提供による前記賞品の購入手続の開始操作を受け付けるための第２操作部とが表示される操作開始ページを操作端末に表示させる第１表示処理部と、前記第１操作部及び前記第２操作部に対する操作を受け付け可能な受付処理部と、前記受付処理部によって前記第１操作部の操作が受け付けられた場合に、前記応募手続を受け付けるための応募ページを前記操作端末に表示させる第２表示処理部と、前記受付処理部によって前記第２操作部の操作が受け付けられた場合に、前記購入手続を受け付けるための購入ページを前記操作端末に表示させる第３表示処理部と、を備える。本発明によれば、同一の賞品について応募手続及び購入手続の両方の開始操作を受け付けることが可能である。特に、前記操作開始ページで前記第１操作部又は前記第２操作部を選択的に操作することにより前記応募手続又は前記購入手続を容易に開始することが可能である。さらに、前記操作開始ページに前記第１操作部及び前記第２操作部が共に表示されるため、ユーザーは、前記第１操作部及び前記第２操作部に対応する前記賞品について前記応募手続だけでなく前記購入手続も可能である旨を容易に把握することができる。
【０００７】
また、前記購入ページでは、予め設定された販売数量の範囲内で購入手続が可能であり、前記販売数量の前記購入手続を受け付けた場合に、前記賞品の販売終了を示す情報が表示されることが考えられる。そして、前記第１表示処理部は、予め設定された販売期間の終了後に、前記第２操作部を前記操作開始ページから消去し、又は前記賞品の販売終了を示す情報を前記操作開始ページに表示させることが考えられる。即ち、前記操作開始ページでは、前記販売数量の前記購入手続を受け付けた場合でも前記第２操作部が消去されない。これにより、ユーザーは、前記販売数量の前記購入手続を受け付けた場合でも前記第２操作部を操作することがあり、その後に表示される前記販売ページで販売終了を知ることになるため、ユーザーの喪失感を高めることで次の機会に賞品の早期購入が促される。
【０００８】
また、前記応募受付装置は、前記第２操作部の操作回数を前記賞品ごとに記録する記録処理部を備えることが考えられる。これにより、前記第２操作部の操作回数に基づいて前記賞品を購入したいと考えたユーザーの数を確認することが可能になる。
【０００９】
また、前記応募受付装置は、前記記録処理部により記録された前記操作回数に基づいて次回の前記賞品の前記販売数量を予測する予測処理部を備えることが考えられる。これにより、過去の前記操作回数に基づく前記賞品の人気などに応じて次回の前記賞品の販売数量が自動的に予測されることになる。
【００１０】
また、前記第１表示処理部は、前記操作開始ページ上に前記賞品の画像を表示させ、前記受付処理部は、前記賞品の画像に対する操作を受け付け可能であり、前記第２表示処理部は、前記受付処理部によって前記賞品の画像の操作が受け付けられた場合に前記応募ページを表示させることが考えられる。これにより、ユーザーは、直感的に前記賞品の画像を選択する操作を行うことによって前記応募手続を開始することができる。
【００１１】
また、前記応募受付装置は、予め設定された応募期間の終了後に、前記応募手続で受け付けた応募者から予め設定された抽選数量の当選者を抽出する抽選処理を実行する抽選処理部を備えることが考えられる。そして、前記抽選処理部は、前記販売期間の終了時までに前記購入手続で受け付けられた購入数が前記販売数量に達していない場合は残りの数量を予め設定された抽選数量に加算した抽選数量の当選者を抽出することが考えられる。
【００１２】
また、本発明に係る応募受付プログラムは、賞品ごとに対応して、前記賞品の抽選への応募手続の開始操作を受け付けるための第１操作部と、対価の提供による前記賞品の購入手続の開始操作を受け付けるための第２操作部とが表示される操作開始ページを操作端末に表示させる第１表示ステップと、前記第１操作部及び前記第２操作部に対する操作を受け付け可能な受付ステップと、前記受付ステップによって前記第１操作部の操作が受け付けられた場合に、前記応募手続を受け付けるための応募ページを前記操作端末に表示させる第２表示ステップと、前記受付ステップによって前記第２操作部の操作が受け付けられた場合に、予め設定された販売数量の範囲内で前記購入手続を受け付けるための購入ページを前記操作端末に表示させる第３表示ステップとをプロセッサーに実行させるための応募受付プログラムである。
【００１３】
また、本発明に係る応募受付方法は、賞品ごとに対応して、前記賞品の抽選への応募手続の開始操作を受け付けるための第１操作部と、対価の提供による前記賞品の購入手続の開始操作を受け付けるための第２操作部とが表示される操作開始ページを操作端末に表示させる第１表示ステップと、前記第１操作部及び前記第２操作部に対する操作を受け付け可能な受付ステップと、前記受付ステップによって前記第１操作部の操作が受け付けられた場合に、前記応募手続を受け付けるための応募ページを前記操作端末に表示させる第２表示ステップと、前記受付ステップによって前記第２操作部の操作が受け付けられた場合に、予め設定された販売数量の範囲内で前記購入手続を受け付けるための購入ページを前記操作端末に表示させる第３表示ステップとを含む。
【発明の効果】
【００１４】
本発明によれば、同一の賞品について応募手続及び購入手続の両方の開始操作を受付可能な応募受付装置、応募受付プログラム、及び応募受付方法が提供される。
【図面の簡単な説明】
【００１５】
【図１】図１は、本発明の実施の形態に係る応募受付システムの構成を示すブロック図である。
【図２】図２は、本発明の実施の形態に係る応募受付装置で使用されるユーザー情報及び賞品情報の一例を示す図である。
【図３】図３は、本発明の実施の形態に係る応募受付装置で使用される賞品登録画面の一例を示す図である。
【図４】図４は、本発明の実施の形態に係る応募受付装置で実行される応募受付処理の一例を示すフローチャートである。
【図５】図５は、本発明の実施の形態に係る応募受付装置により操作端末に表示される操作開始ページの一例を示す図である。
【図６】図６は、本発明の実施の形態に係る応募受付装置により操作端末に表示される応募ページの一例を示す図である。
【図７】図７は、本発明の実施の形態に係る応募受付装置により操作端末に表示される購入ページの一例を示す図である。
【発明を実施するための形態】
【００１６】
以下添付図面を参照しながら、本発明の実施形態について説明し、本発明の理解に供する。なお、以下の実施形態は、本発明を具体化した一例であって、本発明の技術的範囲を限定する性格のものではない。
【００１７】
［応募受付システム１］
図１に示すように、本発明の実施形態に係る応募受付システム１は、応募受付装置２と一又は複数の操作端末３と、登録端末４とを含む。応募受付装置２は、例えばパーソナルコンピューター又はサーバー装置のような情報処理装置である。操作端末３及び登録端末４は、例えば携帯電話、スマートフォン、タブレット端末、又はパーソナルコンピューターのような情報処理装置である。
【００１８】
応募受付装置２及び登録端末４は、インターネット、ＬＡＮ、ＷＡＮ、又は公衆電話回線などの通信網Ｎ１を介して通信可能である。そして、応募受付システム１では、応募受付装置２が、登録端末４の登録作業者の操作に応じて登録された、後述の操作開始ページＰ１及び応募ページＰ１１の表示に必要な情報を取得し、操作開始ページＰ１及び応募ページＰ１１を操作端末３に表示させることが可能である。
【００１９】
また、応募受付装置２及び操作端末３も同様に、インターネット、ＬＡＮ、ＷＡＮ、又は公衆電話回線などの通信網Ｎ１を介して通信可能である。そして、応募受付システム１では、応募受付装置２が、操作端末３からの要求に応じて応募ページを操作端末３に表示させ、その応募ページ上のユーザー操作に応じて、賞品の抽選に応募する応募手続を受け付けるための応募手続を受け付けることが可能である。
【００２０】
例えば、応募受付装置２では、サービスの使用又は商品の購入などによってユーザーに付与されるポイントが管理されており、前記ポイントは、賞品の抽選への応募手続などに用いられる。より具体的に、応募受付装置２の制御部２１は、プリントシール機とも称される写真撮影装置のユーザーが当該写真撮影装置で撮影された画像を専用のウェブサイトから取得した場合、又は、当該写真撮影装置のユーザーが有料会員として登録した場合などの特定の付与条件を満たした場合に、当該ユーザーにポイントを付与することが考えられる。また、前記特定の付与条件には、ユーザーがアンケートに回答すること、特定のキャンペーン期間中に特定のサイトにアクセスして取得操作を行うこと、又は指定期間内に特定機種の前記写真撮影装置で撮影を行うこと等が含まれてもよい。さらに、応募受付装置２の制御部２１が、当該写真撮影装置のユーザーが有料会員として登録されている状態が特定期間継続する毎に当該ユーザーに所定のポイントを付与することも考えられる。なお、応募受付装置２とは別に、前記写真撮影装置で撮影された画像及びユーザー毎のポイントを管理する画像管理サーバーが設けられており、応募受付装置２が、前記画像管理サーバーからユーザーのポイントの情報を取得してもよい。また、前記写真撮影装置が操作端末３として機能してもよい。なお、ポイントの管理主体は応募受付装置２に限らず、例えば操作端末３であってもよい。
【００２１】
ところで、このように応募手続を受け付けることが可能な応募受付システム１では、ユーザーが、応募ページに表示された本来は応募手続によって抽選で取得可能な賞品を、金銭などの対価を提供する購入手続によって確実に取得したいと考えることも想定される。これに対し、以下に説明するように、本実施形態に係る応募受付システム１では、同一の賞品について応募手続及び購入手続の両方の開始操作を受け付けることが可能である。
【００２２】
［操作端末３］
図１に示されるように、操作端末３は、制御部３１、記憶部３２、通信Ｉ／Ｆ３３、及び操作表示部３４などを備える。通信Ｉ／Ｆ３３は、操作端末３を有線又は無線で通信網Ｎ１に接続し、通信網Ｎ１を介して応募受付装置２などの外部機器との間でデータ通信を実行するための通信インターフェースである。
【００２３】
操作表示部３４は、各種のＷｅｂページなどの情報を表示する液晶ディスプレイ又は有機ＥＬディスプレイのような表示部と、ユーザー操作を受け付けるマウス、キーボード、操作ボタン、タッチパネルなどの操作部とを備えるユーザーインターフェースである。
【００２４】
記憶部３２は、各種の情報を記憶するフラッシュメモリーなどの不揮発性の記憶部であり、制御部３１に各種の処理を実行させるためのブラウザプログラム等の制御プログラムが記憶される。
【００２５】
制御部３１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部３１は、前記ＲＯＭ又は記憶部３２に予め記憶された各種の制御プログラムを前記ＣＰＵで実行することにより操作端末３を制御する。
【００２６】
具体的に、制御部３１は、応募受付装置２から通信網Ｎ１を介して提供されるＷｅｂページを操作表示部３４に表示させ、操作表示部３４に対するユーザー操作を応募受付装置２に入力するブラウザ処理を実行するブラウザ処理部３１１を含む。なお、制御部３１は、記憶部３２に記憶されている前記ブラウザプログラムに従って各種の処理を実行することによりブラウザ処理部３１１として機能する。また、制御部３１に含まれる一部又は全部の処理部が電子回路で構成されていてもよい。
【００２７】
［登録端末４］
登録端末４は、制御部４１、記憶部４２、通信Ｉ／Ｆ４３、及び操作表示部４４などを備える。通信Ｉ／Ｆ４３は、登録端末４を有線又は無線で通信網Ｎ１に接続し、通信網Ｎ１を介して応募受付装置２などの外部機器との間でデータ通信を実行するための通信インターフェースである。
【００２８】
操作表示部４４は、各種のＷｅｂページなどの情報を表示する液晶ディスプレイ又は有機ＥＬディスプレイのような表示部と、登録作業者の操作を受け付けるマウス、キーボード、操作ボタン、又はタッチパネルなどの操作部とを備えるユーザーインターフェースである。
【００２９】
記憶部４２は、各種の情報を記憶するフラッシュメモリーなどの不揮発性の記憶部であり、制御部４１に各種の処理を実行させるためのブラウザプログラム等の制御プログラムが記憶される。
【００３０】
制御部４１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部４１は、前記ＲＯＭ又は記憶部４２に予め記憶された各種の制御プログラムを前記ＣＰＵで実行することにより登録端末４を制御する。
【００３１】
具体的に、制御部４１は、応募受付装置２から通信網Ｎ１を介して提供されるＷｅｂページを操作表示部４４に表示させ、操作表示部４４に対する登録作業者の操作を応募受付装置２に入力するブラウザ処理を実行するブラウザ処理部４１１を含む。なお、制御部４１は、記憶部４２に記憶されている前記ブラウザプログラムに従って各種の処理を実行することによりブラウザ処理部４１１として機能する。また、制御部４１に含まれる一部又は全部の処理部が電子回路で構成されていてもよい。
【００３２】
［応募受付装置２］
一方、図１に示されるように、応募受付装置２は、制御部２１、記憶部２２、及び通信Ｉ／Ｆ２３などを備える。なお、応募受付装置２は、１台のコンピューターに限らず、複数台のコンピューターが協働して動作するコンピューターシステムであってもよい。
【００３３】
通信Ｉ／Ｆ２３は、応募受付装置２を有線又は無線で通信網Ｎ１に接続し、通信網Ｎ１を介して操作端末３などの外部機器との間でデータ通信を実行するための通信インターフェースである。
【００３４】
記憶部２２は、各種の情報を記憶するハードディスク又はＳＳＤなどの不揮発性の記憶部である。具体的に、記憶部２２には、ユーザー情報Ｄ１及び賞品情報Ｄ２などが記憶される。
【００３５】
そして、制御部２１は、操作端末３から後述の操作開始ページＰ１又は応募ページＰ１１の表示要求を受信した場合に、記憶部２２に記憶されている賞品情報Ｄ２と予め設定されたレイアウトとに基づいて、その操作開始ページＰ１又は応募ページＰ１１を作成し、操作端末３に表示させる。即ち、操作開始ページＰ１及び応募ページＰ１１は、応募受付装置２によって管理されるウェブページである。なお、操作開始ページＰ１及び応募ページＰ１１は、登録作業者による登録端末４の操作に応じて応募受付装置２の制御部２１によって予め作成又は更新されて記憶部２２に記憶されてもよい。さらに、登録作業者による登録端末４の操作に応じて登録端末４によって操作開始ページＰ１及び応募ページＰ１１が予め作成又は更新され、応募受付装置２の記憶部２２にアップロードされてもよい。
【００３６】
ここに、図２は、ユーザー情報Ｄ１及び賞品情報Ｄ２の一例を示す図である。図２（Ａ）に示されるように、ユーザー情報Ｄ１には、ユーザーごとに対応するユーザーＩＤ、パスワード、及び保有ポイントなどの情報が含まれる。なお、ユーザー情報Ｄ１には、ユーザーごとに対応するメールアドレス等の連絡先情報も登録される。ユーザーＩＤ及びパスワードはユーザーのログイン処理で使用される。保有ポイントは、ユーザーごとに付与されているポイントの現在の残高を示す情報であり、前述の特定の付与条件を満たした場合に加算され、賞品の抽選の応募手続によって減算される。
【００３７】
図２（Ｂ）に示されるように、賞品情報Ｄ２には、抽選でユーザーに提供される賞品各々の賞品ＩＤ、賞品名、賞品画像、及び購入アクセス数などの情報が含まれる。賞品ＩＤは、賞品を識別するための識別情報であり、賞品名及び賞品画像は、後述の操作開始ページＰ１及び応募ページＰ１１などに表示される賞品の名称及び賞品の画像である。
【００３８】
ここで、図３を参照しつつ、賞品情報Ｄ２の登録方法について説明する。具体的に、制御部２１は、登録端末４に対する特定の登録開始操作に応じて、図３に示される賞品登録画面Ｐ０を登録端末４に表示させ、賞品登録画面Ｐ０における入力情報を賞品情報Ｄ２として記憶部２２に記憶させる。
【００３９】
賞品登録画面Ｐ０には、賞品名、応募期間、抽選数量、必要ポイント、応募用ＵＲＬ、販売期間、販売数量、及び購入用ＵＲＬなどの入力欄Ｋ０１が設けられている。また、賞品登録画面Ｐ０には、携帯用画像及びスマホ用画像各々を賞品画像として登録するための操作を受け付けるための操作部Ｋ０２が設けられている。そして、賞品登録画面Ｐ０で登録された賞品の各情報は、予め設定されたレイアウトに従って後述の操作開始ページＰ１及び応募ページＰ１１などに表示される。
【００４０】
なお、制御部２１は、登録端末４によって前記販売期間が入力されない場合には、前記応募期間を自動的に前記販売期間として設定することが考えられる。これにより、登録作業者は、前記応募期間及び前記販売期間が同じ場合には、前記応募期間だけを入力して前記販売期間の入力を省略することができる。
【００４１】
このように、応募受付システム１では、賞品登録画面Ｐ０において、購入用ＵＲＬとして、応募受付装置２が管理するウェブページではない他のＥＣ（Ｅｌｅｃｔｒｏｎｉｃ  Ｃｏｍｍｅｒｃｅ：電子商取引）サイトのアドレスを登録することが可能である。従って、応募受付装置２において新たに購入決済又は賞品発送などに関する処理が可能なＥＣサイトを構築する必要がないため、応募受付装置２を管理する管理者は、低コストで容易に応募受付システム１を構築することが可能である。
【００４２】
さらに、記憶部２２には、制御部２１に後述の応募受付処理（図４参照）を実行させるための応募受付プログラムなどの制御プログラムも記憶される。例えば、前記応募受付プログラムは、ＣＤ又はＤＶＤなどのコンピューター読取可能な記録媒体に記録されており、ＣＤドライブ又はＤＶＤドライブなどの読取装置によって読み取られて記憶部２２に記憶される。
【００４３】
制御部２１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより応募受付装置２を制御する。
【００４４】
具体的に、制御部２１は、図１に示されるように、第１表示処理部２１０、受付処理部２１１、第２表示処理部２１２、第３表示処理部２１３、記録処理部２１４、予測処理部２１５、抽選処理部２１６などを含む。なお、制御部２１は、前記ＣＰＵにより前記応募受付プログラムに従った各種の処理を実行することにより、第１表示処理部２１０、受付処理部２１１、第２表示処理部２１２、第３表示処理部２１３、記録処理部２１４、予測処理部２１５、抽選処理部２１６として機能する。また、制御部２１に含まれる一部又は全部の処理部が電子回路で構成されていてもよい。
【００４５】
第１表示処理部２１０は、賞品ごとに対応して、前記賞品の抽選への応募手続の開始操作を受け付けるための第１操作部と、金銭などの対価の提供による前記賞品の購入手続の開始操作を受け付けるための第２操作部とが表示される操作開始ページを操作端末に表示させる。本実施形態では、後述するように、前記第１操作部として応募キーＫ１１が表示され、前記第２操作部として購入キーＫ１２が表示される（図５参照）。なお、前記対価の提供とは、金銭の提供に限らず、例えば前記応募手続に必要なポイント数以上の特定ポイント数の提供などであることも他の実施形態として考えられる。
【００４６】
受付処理部２１１は、前記第１操作部及び前記第２操作部に対する操作を受け付け可能である。具体的に、受付処理部２１１は、操作端末３における前記第１操作部又は前記第２操作部の操作に応じて、操作端末３から応募受付装置２に送信される操作信号に基づいて前記第１操作部及び前記第２操作部に対する操作を受け付ける。
【００４７】
第２表示処理部２１２は、受付処理部２１１によって前記第１操作部の操作が受け付けられた場合に、前記応募手続を受け付けるための応募ページを操作端末３に表示させる。具体的に、第２表示処理部２１２は、記憶部２２に記憶されている情報に基づいて構成される前記応募ページの情報を操作端末３に送信することにより前記応募ページを操作端末３に表示させる。
【００４８】
第３表示処理部２１３は、受付処理部２１１によって前記第２操作部の操作が受け付けられた場合に、前記購入手続を受け付けるための購入ページを操作端末３に表示させる。具体的に、第３表示処理部２１３は、前記購入ページに対応する外部のＥＣサイトのアドレス（ＵＲＬ）を操作端末３に送信することにより前記購入ページを操作端末３に表示させる。なお、外部のＥＣサイトとは、例えば応募受付装置２とは異なる管理サーバー等に記憶されて管理されているＷｅｂページである。
【００４９】
記録処理部２１４は、前記第２操作部の操作回数を前記賞品ごとに記憶部２２に記録する。即ち、一又は複数のユーザーによる操作端末３で行われる前記第２操作部の操作回数がカウントされることになり、その操作回数は、ユーザーが前記賞品を所望する指標と考えることが可能である。なお、制御部２１は、記憶部２２に記憶されている前記賞品ごとの前記第２操作部の操作回数を登録端末４の操作に応じて表示又は印刷することが可能である。
【００５０】
予測処理部２１５は、記録処理部２１４により記録された前記操作回数に基づいて次回の前記賞品の販売数量を予測する。例えば、予測処理部２１５は、前記賞品各々に対応する前記第２操作部が前記賞品各々の前記販売期間における操作回数の平均値を次回の前記賞品の販売数量として予測する。また、予測処理部２１５は、ある一つの賞品に対応する前記操作回数が、前記賞品各々に対応する前記操作回数の平均値よりも多ければ、その賞品を次に販売対象とする際にも他の賞品に比べて販売数量を多く予測することが考えられる。
【００５１】
抽選処理部２１６は、予め設定された応募期間の終了後に、前記応募手続で受け付けた応募者から予め設定された抽選数量の当選者を抽出する抽選処理を実行する。なお、応募受付装置２では抽選処理が実行されず、制御部２１が、応募手続によって入力された情報を表示又は印刷することも考えられる。この場合、表示結果又は印刷結果に基づいて人が抽選作業を行うことが可能である。
【００５２】
［応募受付処理］
次に、図４を参照しつつ、応募受付装置２において制御部２１によって実行される応募受付処理について説明する。なお、制御部２１は、操作端末３各々から賞品を選択するための操作開始ページＰ１の表示開始要求を受信した場合に、操作端末３ごとに対応する当該応募受付処理を個別に実行する。即ち、制御部２１は、複数の操作端末３に対応する前記応募受付処理を時分割によって略並行して実行することがある。なお、本発明は、当該応募受付処理の各処理を実行する応募受付方法の発明として捉えてもよい。
【００５３】
＜ステップＳ１＞
ステップＳ１において、制御部２１は、記憶部２２の賞品情報Ｄ２に登録されている一又は複数の賞品各々について、その賞品ごとに予め設定された応募期間が終了したか否かを判定し、判定結果を制御部２１のＲＡＭに記憶する。
【００５４】
＜ステップＳ２＞
ステップＳ２において、制御部２１は、記憶部２２の賞品情報Ｄ２に登録されている一又は複数の賞品各々について、その賞品ごとに予め設定された販売期間が終了したか否かを判定し、判定結果を制御部２１のＲＡＭに記憶する。
【００５５】
＜ステップＳ３＞
ステップＳ３において、制御部２１は、ステップＳ１及びステップＳ２における判定結果に基づいて、操作開始ページＰ１を操作端末３に表示させる。なお、当該ステップＳ３は、第１表示ステップの一例であって、制御部２１の第１表示処理部２１０によって実行される。ここに、図５は、操作開始ページＰ１の一例を示す図である。
【００５６】
図５に示されるように、制御部２１は、前記賞品のうちステップＳ１で応募期間が終了していないと判定された賞品を表示対象として操作開始ページＰ１を表示させる。具体的に、制御部２１は、賞品各々に対応して予め登録された賞品名、応募期間、抽選数量、必要ポイント、販売数量、賞品画像などの情報を操作開始ページＰ１に表示させる。
【００５７】
ここで、操作開始ページＰ１では、操作端末３が携帯電話である場合には前記携帯用画像が賞品画像として表示され、操作端末３がスマートフォン等である場合には前記スマホ用画像が賞品画像として表示される。なお、操作開始ページＰ１上に表示される前記賞品ごとに対応する前記賞品画像及び前記賞品名などの情報を含む特定範囲の表示領域は、当該賞品を選択するためのユーザー操作を受け付ける第３操作部としての機能を兼ねており、以下操作キーを兼ねる前記表示領域を賞品選択キーＫ１３（第３操作部の一例）と称する。また、前記賞品画像又は前記賞品名の一方の表示領域のみが賞品選択キーＫ１３として機能してもよい。
【００５８】
また、制御部２１は、賞品各々に対応する応募キーＫ１１（第１操作部の一例）を操作開始ページＰ１に表示させる。なお、前記応募期間が終了した賞品は操作開始ページＰ１に表示されない。図５では、操作開始ページＰ１に二つの賞品が表示されている。なお、他の実施形態として、制御部２１が、応募期間が終了したと判定した賞品も操作開始ページＰ１に表示させ、当該賞品に対応する応募キーＫ１１を操作開始ページＰ１に表示させないことも考えられる。
【００５９】
さらに、制御部２１は、前記賞品のうちステップＳ２で販売期間が終了していないと判定された賞品については、当該賞品に対応する購入キーＫ１２（第２操作部の一例）を操作開始ページＰ１に表示させる。このように、操作開始ページＰ１に応募キーＫ１１及び購入キーＫ１２が共に表示されるため、ユーザーは、その応募キーＫ１１及び購入キーＫ１２対応する賞品について応募手続だけでなく購入手続も可能である旨を容易に把握することができる。なお、操作開始ページＰ１において、応募キーＫ１１及び購入キーＫ１２は、応募キーＫ１１及び購入キーＫ１２が対応する賞品の近傍で上下に並べて表示されているが、左右に並べて表示されてもよい。また、応募キーＫ１１及び購入キーＫ１２は、応募キーＫ１１及び購入キーＫ１２が対応する賞品を挟んで上下又は左右に離れて配置されてもよい。
【００６０】
一方、制御部２１は、前記賞品のうちステップＳ２で販売期間が終了したと判定された賞品については、当該賞品に対応する購入キーＫ１２を操作開始ページＰ１に表示させない。ここで、前記販売期間は、前述したように賞品ごとに個別に設定され、操作開始ページＰ１には表示されない。これにより、ユーザーが、購入キーＫ１２の表示が消えて賞品を購入することができなくなるタイミングを知ることができないため、ユーザーに賞品の早期の購入を促すことが可能である。また、前記販売期間と前記応募期間とが同じである賞品、又は前記販売期間が設定されていない賞品については、例えば操作開始ページＰ１における賞品の表示中は常に購入キーＫ１２が表示されることが考えられる。なお、前記販売期間が操作開始ページＰ１に表示されることも他の実施形態として考えられる。
【００６１】
また、他の実施形態として、操作開始ページＰ１において、前記販売期間が終了した賞品についても購入キーＫ１２が表示されることが考えられる。これにより、前記販売数量の賞品の販売が完了した場合であっても、その賞品が販売されていたことをユーザーに認識させることが可能であり、ユーザーに次の機会に賞品を早期に購入する意欲を与えることが可能となる。また、このような構成では、前記賞品の販売期間が終了した場合に、その旨のメッセージが前記賞品に対応付けて操作開始ページＰ１に表示されてもよい。
【００６２】
＜ステップＳ４＞
ステップＳ４において、制御部２１は、応募開始操作が行われたか否かを判断する。具体的に、制御部２１は、応募キーＫ１１又は賞品選択キーＫ１３が操作された場合に応募開始操作が行われたと判断する。そして、応募開始操作が行われた場合は（Ｓ４：Ｙｅｓ）、処理がステップＳ４１に移行し、応募開始操作が行われていない場合は（Ｓ４：Ｎｏ）、処理がステップＳ５に移行する。なお、応募キーＫ１１又は賞品選択キーＫ１３の操作を受け付ける処理は、受付ステップの一例であって、制御部２１の受付処理部２１１によって実行される。
【００６３】
＜ステップＳ５＞
ステップＳ５において、制御部２１は、購入開始操作が行われたか否かを判断する。具体的に、制御部２１は、購入キーＫ１２が操作された場合に購入開始操作が行われたと判断する。そして、購入開始操作が行われた場合は（Ｓ５：Ｙｅｓ）、処理がステップＳ５１に移行し、購入開始操作が行われていない場合は（Ｓ５：Ｎｏ）、処理がステップＳ４に移行する。なお、購入キーＫ１２の操作を受け付ける処理は、受付ステップの一例であって、制御部２１の受付処理部２１１によって実行される。
【００６４】
＜ステップＳ４１＞
そして、前記応募開始操作が行われた場合（Ｓ４：Ｙｅｓ）、続くステップＳ４１において、制御部２１は、前記応募開始操作が行われる際に操作された応募キーＫ１１又は賞品選択キーＫ１３に対応する賞品の応募ページＰ１１を操作端末３に表示させる。なお、当該ステップＳ４１は、第２表示ステップの一例であって、制御部２１の第２表示処理部２１２によって実行される。
【００６５】
具体的に、制御部２１は、応募キーＫ１１又は賞品選択キーＫ１３にハイパーリンクの位置情報として埋め込まれた前記応募用ＵＲＬ（図３参照）を、操作端末３の制御部３１に送信し、操作端末３に応募ページＰ１１を表示させる。ここで、前記応募用ＵＲＬは、応募受付装置２の記憶部２２に記憶されているＷｅｂページにアクセスするためのアドレスである。
【００６６】
特に、図５にも示されるように、操作開始ページＰ１は、ページのタイトルが「プレゼント  トップ」であることからもわかるように、応募手続によってプレゼントとして賞品を取得するために用いられるウェブページである。そのため、賞品選択キーＫ１３が操作された場合には、購入手続ではなく応募手続の開始操作として受け付けている。従って、ユーザーは、直感的に前記賞品の画像を選択する操作を行うことによって前記応募手続を開始することができる。なお、制御部２１は、賞品選択キーＫ１３が操作された場合に、その後に応募手続又は購入手続のいずれかを選択するための選択画面を表示させ、その選択画面における選択操作に応じて応募ページＰ１１又は後述の購入ページＰ１２を表示させることも他の実施形態として考えられる。
【００６７】
ここに、図６は、応募ページＰ１１の一例を示す図である。図６に示されるように、応募ページＰ１１には、賞品の賞品名、賞品画像、必要ポイント、保有ポイント、及び賞品の詳細説明などが表示される。応募受付装置２では、制御部２１が、ステップＳ４１の実行に際して、操作端末３のユーザーのログインを受け付けるログイン処理を実行する。そして、前記保有ポイントは、前記ログイン処理でログインしたユーザーに対応して記憶部２２に記憶されているポイント数である。なお、前記ログイン処理は、前記応募受付処理の開始時に実行されてもよい。
【００６８】
ところで、前記応募手続が行われる場合には、ユーザーがログインした状態であり、ユーザーの連絡先情報は既知であるため、前記応募手続に必要な個人情報の入力欄は省略される。なお、応募ページＰ１１に、氏名、住所、メールアドレスなどのように、前記応募手続に必要な予め登録された個人情報が入力される入力欄が設けられることも他の実施形態として考えられる。
【００６９】
また、制御部２１は、前記応募開始操作が行われた場合であっても、当該応募開始操作の対象の賞品の応募期間が経過している場合には、その旨を示す予め設定されたメッセージを操作端末３に表示させることが考えられる。なお、制御部２１は、操作開始ページＰ１を予め設定された期間ごとに自動更新することにより、前記応募期間が経過した場合に応募キーＫ１１の表示を消去することも考えられる。
【００７０】
＜ステップＳ４２＞
その後、ステップＳ４２において、制御部２１は、応募ページＰ１１に各種の情報が入力され、応募確定操作が行われると、現在ログイン中のユーザーのユーザーＩＤなどのユーザーを識別するための情報を賞品についての応募情報として受け付けて記憶部２２に登録し、当該応募受付処理を終了させる。但し、制御部２１は、ログイン中のユーザーの保有ポイントが必要ポイントに達している場合にのみ前記応募手続を受け付ける。なお、当該応募受付処理は、操作端末３から所定の終了操作が行われた場合にも終了することがある。
【００７１】
そして、前記応募期間が経過した後、応募受付装置２で当選者が決定された場合、又は登録作業者により当選者が応募受付装置２に入力された場合には、制御部２１が、前記連絡先情報として登録されているメールアドレスを宛先として、当選した旨と前記個人情報を入力するための個人情報入力ページのＵＲＬとをメールで通知することが考えられる。これにより、ユーザーによって前記個人情報入力ページへの個人情報の入力が行われると、応募受付装置２の管理者は、当選者であるユーザーの個人情報を取得し、賞品を発送することが可能である。
【００７２】
＜ステップＳ５１＞
また、前記購入開始操作が行われた場合（Ｓ５：Ｙｅｓ）、続くステップＳ５１において、制御部２１は、操作された購入キーＫ１２に対応する賞品の賞品情報Ｄ２に含まれる購入アクセス数を１加算する。なお、購入アクセス数の初期値は０である。即ち、制御部２１は、予め設定された販売期間における購入キーＫ１２の操作回数を記憶部２２に記録する。なお、当該ステップＳ５１は、記録ステップの一例であって、制御部２１の記録処理部２１４によって実行される。
【００７３】
また、例えば前記販売期間の終了後も、操作開始ページＰ１に表示される賞品に対応する購入キーＫ１２が表示される構成では、記録処理部２１４が、販売期間内と販売期間の終了後とにおける購入キーＫ１２の操作回数を個別にカウントして記録することも考えられる。これにより、購入期間の終了後におけるユーザーの購入意欲を確認することが可能となる。また、記録処理部２１４は、購入キーＫ１２を操作したときの前記賞品の種類、前記賞品の対価などの前記賞品の情報をユーザーごとに対応付けて記録することも考えられる。これにより、応募受付装置２の管理者は、ユーザーごとの趣向を把握することも可能である。
【００７４】
なお、制御部２１は、同一の操作端末３から予め設定された期間内に同一の購入キーＫ１２が複数回操作された場合には、２回目以降の操作時に前記購入アクセス数を加算しないことが考えられる。これにより、前記賞品を所望するユーザーの数をより正確に記録することが可能である。
【００７５】
＜ステップＳ５２＞
ステップＳ５２において、制御部２１は、前記購入開始操作が行われる際に操作された購入キーＫ１２に対応する賞品の購入ページＰ１２を操作端末３に表示させ、当該応募受付処理を終了させる。なお、当該ステップＳ５２は、第３表示ステップの一例であって、制御部２１の第３表示処理部２１３によって実行される。具体的には、購入キーＫ１２にハイパーリンクの位置情報として埋め込まれた前記購入用ＵＲＬ（図３参照）を、操作端末３の制御部３１に送信し、操作端末３に購入ページＰ１２を表示させる。なお、制御部２１は、操作開始ページＰ１から外部の購入ページＰ１２に移行する際には、外部のサイトに移動する旨の確認メッセージを表示し、その確認メッセージに対する確認操作に応じて購入ページＰ１２に移行させてもよい。
【００７６】
ここで、購入ページＰ１２は、応募受付装置２の記憶部２２に記憶されているＷｅｂページである。そして、購入ページＰ１２の開設には、例えば外部のコンテンツマネジメントシステム（ＣＭＳ：ｃｏｎｔｅｎｔ  ｍａｎａｇｅｍｅｎｔ  ｓｙｓｔｅｍ）が利用される。これにより、応募受付装置２の管理者は、決済手続が可能な購入ページＰ１２を簡単に構築することが可能である。
【００７７】
ここに、図７は、購入ページＰ１２の一例を示す図である。図７に示されるように、購入ページＰ１２には、賞品の賞品名、賞品画像、対価（金額）、及び賞品の詳細情報などが表示される。また、購入ページＰ１２では、購入する賞品の個数及びカラーなどのように、前記購入手続に必要な予め登録された情報が入力される入力欄も設けられている。そして、外部のＥＣサイトを管理する管理サーバーは、購入ページＰ１２に各種の情報が入力され、購入確定操作が行われると、購入ページＰ１２の前記入力欄に入力された情報が賞品について、予め設定された販売数量の範囲内で購入手続を受け付ける。例えば、購入ページＰ１２では、販売数量の販売手続が既に受け付けられている場合には、賞品の販売終了を示すメッセージ等の情報が当該賞品に対応付けて表示される。なお、オンライン決済が完了したことを条件に前記購入手続が受け付けられてもよい。
【００７８】
なお、制御部２１は、前記購入開始操作が行われた場合であっても、当該購入開始操作の対象の賞品の販売期間が経過している場合には、その旨を示す予め設定されたメッセージを操作端末３に表示させることが考えられる。また、制御部２１は、操作開始ページＰ１を予め設定された期間ごとに自動更新することにより、前記購入期間が経過した場合に購入キーＫ１２の表示を消去することも考えられる。さらに、制御部２１が、前記外部のＥＣサイトの管理サーバーから現在までの購入数の情報を取得可能であって、前記購入開始操作が行われたときに前記賞品の前記購入数が前記販売数に達している場合には、その旨を示す予め設定されたメッセージを操作端末３に表示させることが考えられる。
【００７９】
以上説明したように、応募受付装置２では、制御部２１によって前記応募受付処理が実行されることにより、同一の賞品について応募手続及び購入手続の両方の開始操作を受け付けることが可能である。また、応募受付装置２では、操作開始ページＰ１に表示される応募キーＫ１１又は購入キーＫ１２の操作に応じて応募ページＰ１１又は購入ページＰ１２が操作端末３に表示される。従って、賞品の応募手続及び購入手続の操作性を向上させることが可能である。具体的には、操作開始ページＰ１における応募開始操作により応募ページＰ１１が表示された後、更なる購入開始操作によって購入ページＰ１２が表示される場合に比べてユーザー操作の回数が減少する。
【００８０】
特に、応募受付システム１では、上述したように、応募ページＰ１１が応募受付装置２で管理されており、購入ページＰ１２が外部のＥＣサイトの管理サーバーで管理されている場合であっても、賞品の賞品画像及び詳細説明のような情報が重複して表示されない。従って、操作端末３による通信量及び通信時間を省減することも可能である。
【００８１】
また、応募受付システム１では、購入ページＰ１２が外部のＥＣサイトの管理サーバーで管理されているため、制御部２１は、賞品ごとに予め設定される販売数量の購入手続を受け付けたか否かを判断していない。そのため、既に販売数量の購入手続きが受け付けられている場合であっても、賞品の販売終了を示す情報が操作開始ページＰ１に表示されず、購入キーＫ１２が表示された状態が維持される。なお、第１表示処理部２１０は、前記販売期間の終了後に、購入キーＫ１２を操作開始ページＰ１から消去し、又は賞品の販売終了を示す情報を操作開始ページＰ１に表示させる。
【００８２】
従って、ユーザーは、既に販売数量の購入手続きが受け付けられている場合であっても、一度は購入キーＫ１２を操作することになるため、ユーザーの購入意欲に対する喪失感を与えることができ、次回の賞品についての早期購入の意欲をより高めることが可能である。さらに、賞品の購入数が前記販売数量に達した場合でも、購入キーＫ１２が操作され、前記購入アクセス数が加算されることになるため、前記購入アクセス数に基づいてユーザーの購入意欲を計ることが可能である。なお、他の実施形態として、制御部２１が、購入ページＰ１２によって購入手続を受け付ける場合は、賞品ごとに予め設定される販売数量の購入手続を受け付けた場合に、その賞品の販売終了を示すメッセージを購入ページＰ１２に表示させることが考えられる。
【００８３】
ところで、制御部２１の予測処理部２１５は、前記購入アクセス数に基づいて、次に同じ前記賞品の応募を受け付ける際の前記販売数量を予測することが考えられる。また、制御部２１の予測処理部２１５は、複数の前記賞品に対応する前記購入アクセス数に基づいて、今後の前記賞品各々の応募を受け付ける際の前記販売数量を予測することが考えられる。例えば、前記購入アクセス数の平均値を算出し、前記平均値を次回の賞品に対応する前記販売数量として予測することが考えられる。なお、予測処理部２１５は、賞品登録画面Ｐ０において前記販売数量の予測結果を表示させることが考えられる。また、予測処理部２１５は、前記販売数量の予測結果を次回の賞品に対応する前記販売数量として自動設定してもよい。
【００８４】
さらに、抽選処理部２１６は、前記販売期間の終了時までに前記購入手続で受け付けられた購入数が前記販売数量に達していない場合、残りの数量を予め設定された抽選数量に加算した抽選数量の当選者を抽出することが考えられる。なお、購入用ＵＲＬに対応する購入ページＰ１２が応募受付装置２で管理される場合には、制御部２１が現在までに購入された実際の購入数を把握可能である。一方、前述したように外部のＥＣサイトで購入手続が受け付けられる場合には、制御部２１が、実際の購入数の情報を前記ＥＣサイトの管理サーバーから取得することが考えられる。このように、前記応募手続及び前記購入手続の二通りの方法で賞品が提供される場合、一方の前記購入手続で購入されなかった賞品が存在する場合には、前記応募手続によって当選する確率を高くして、前記購入手続で購入されなかった賞品を有効活用することができる。また、制御部２１は、前記販売期間の終了時までに前記購入手続で受け付けられた購入数が前記販売数量に達していない場合、残りの数量の賞品の購入手続を受け付けることも考えられる。
【００８５】
なお、本実施形態では、購入ページＰ１２が外部のＥＣサイトである場合について説明したが、他の実施形態として、応募ページＰ１１が外部サイトであってもよい。応募ページＰ１１が外部サイトである場合にも、その応募ページＰ１１の開設には、例えば外部のコンテンツマネジメントシステム（ＣＭＳ：ｃｏｎｔｅｎｔ  ｍａｎａｇｅｍｅｎｔ  ｓｙｓｔｅｍ）が利用される。この場合、前記ステップＳ４１では、応募キーＫ１１にハイパーリンクの位置情報として埋め込まれた外部サイトの応募用ＵＲＬが、操作端末３の制御部３１に送信されることにより操作端末３に応募ページＰ１１が表示され、当該応募受付処理が終了する。また、応募ページＰ１１及び購入ページＰ１２が共に応募受付装置２の記憶部２２に記憶されているＷｅｂページであること、又は応募ページＰ１１及び購入ページＰ１２が共に外部サイトであることも考えられる。
【符号の説明】
【００８６】
１      応募受付システム
２      応募受付装置
２１    制御部
２１０  第１表示処理部
２１１  受付処理部
２１２  第２表示処理部
２１３  第３表示処理部
２１４  記録処理部
２１５  予測処理部
２１６  抽選処理部
３      操作端末
３１    制御部
３１１  ブラウザ処理部
【図１】
0006372519.tif 000002
【図２】
0006372519.tif 000003
【図３】
0006372519.tif 000004
【図４】
0006372519.tif 000005
【図５】
0006372519.tif 000006
【図６】
0006372519.tif 000007
【図７】
0006372519.tif 000008